(57)【要約】      （修正有）【課題】過剰なペーパーの繰り出しを抑制するトイレットペーパーホルダを提供する。【解決手段】装着されたトイレットペーパー３０の上面側にペーパーカバー１３が被せられるトイレットペーパーホルダ１０において、ペーパーカバー１３の外側に突起片１４を設け、突起片１４の高さを、ペーパーカバー１３を開き、突起片１４の先端部がトイレットペーパーホルダの取付け壁に当接したとき、ペーパーカバー１３が自由落下する高さとする。トイレットペーパーの使用時、ペーパーカバーを持っている手で放せば、自然とペーパーカバーが自由落下して、閉まり、過剰なペーパーの繰り出しは抑制される。【選択図】図１
0003189828.tif 000002
【実用新案登録請求の範囲】
【請求項１】
請求項１記載の本考案は、装着されたトイレットペーパーの上面側にペーパーカバーが被せられるトイレットペーパーホルダにおいて、前記ペーパーカバーの外側に突起片を設け、当該突起片の高さを、前記ペーパーカバーを開き、前記突起片の先端部が前記トイレットペーパーホルダの取付け壁に当接したとき、前記ペーパーカバーが自由落下する高さとしたトイレットペーパーホルダ。
【考案の詳細な説明】
【技術分野】
【０００１】
本考案は、過剰なペーパーの繰り出しを抑制するトイレットペーパーホルダに関するものである。
【背景技術】
【０００２】
公的な施設、例えば、駅やデパート、スーパーなどのトイレにおいて、よく、心ない使用者がトイレットペーパーを必要以上に繰り出して使用していることある。
これは、資源の無駄使いであり、また、施設側からすれば、管理費のコストアップ要因ともなる。
【０００３】
従来、トイレットペーパーホルダにおいては、種々の提案、例えば、片手で、ペーパーの繰り出しと切断ができるもの（特許文献１）など、種々のものが提案されているが、過剰なペーパーの繰り出しに関しては、特に有効な手段・対策が取られていない。
【先行技術文献】
【特許文献】
【０００４】
【特許文献１】実願２０１２−００５１９７号公報
【考案の概要】
【考案が解決しようとする課題】
【０００５】
本考案は、このような実情に鑑みてなされたもので、過剰なペーパーの繰り出しを抑制する機能を持たせたトイレットペーパーホルダを提供するものである。
【課題を解決するための手段】
【０００６】
請求項１記載の本考案は、装着されたトイレットペーパーの上面側にペーパーカバーが被せられるトイレットペーパーホルダにおいて、前記ペーパーカバーの外側に突起片を設け、当該突起片の高さを、前記ペーパーカバーを開き、前記突起片の先端部が前記トイレットペーパーホルダの取付け壁に当接したとき、前記ペーパーカバーが自由落下する高さとしたトイレットペーパーホルダにある。
【考案の効果】
【０００７】
請求項１記載の本考案では、トイレットペーパーの使用時、ペーパーカバーを目一杯開き、ホルダの取付け壁に当接（接触）させたままとしようとしたとき、ペーパーカバーの突起片の先端部が、取付け壁に当接するため、ペーパーカバーを持っている手で放せば、自然とペーパーカバーが自由落下して、閉まる。
このため、ペーパーカバーを開いたままとして、トイレットペーパーを、勢いよく、過剰に繰り出そうとしても、ペーパーカバーが閉じるため、繰り出しいし難くなる。
つまり、自ずと、過剰なペーパーの繰り出しは、抑制される。
【図面の簡単な説明】
【０００８】
【図１】本考案に係るトイレットペーパーホルダの一例を示した斜視図である。
【図２】図１のトイレットペーパーホルダの取付け状態とペーパーカバーの開成状態を示した側面図である。
【図３】図１のトイレットペーパーホルダにおけるペーパーカバーの突起片の別例を示した斜視図である。
【図４】図１のトイレットペーパーホルダにおけるペーパーカバーの開成状態の保持例を示した側面図である。
【考案を実施するための形態】
【０００９】
本考案に係るトイレットペーパーホルダを図面に基づいて説明する。
図１〜図２中、１０はトイレットペーパーホルダを示し、１１はホルダ枠体である。
ホルダ枠体１１の形状や構造は、特に限定されないが、本例では、概略コ字型の枠体からなり、水平の連設部１１ａの両縁部から、左右の支持アーム片１１ｂ、１１ｂが形成されてある。通常、連設部１１ａを、木ねじなどの固定具により、トイレ内の壁２０に固定することで、トイレットペーパーホルダ１０は取り付けられる。
【００１０】
左右の支持アーム片１１ｂ、１１ｂの内側には、トイレットペーパー３０を支持するための支持手段１２が設けある。支持手段１２は、特に限定されず、一般的に用いられている構造のものであればよい。例えば、左右の支持アーム片１１ｂ、１１ｂの内側に凹穴の支持部を設け、これらの凹穴間に装着される、伸縮自在とした、二重構造のパイプ部材からなる芯材で構成されるものがある。
この場合、予め芯材を、トイレットペーパー３０の中心穴３１に通し、この状態で、芯材の一方を、一方の支持アーム片１１ｂの凹穴に嵌め込み、続いて、芯材を縮めて（一方のパイプ部材を押し込んで）、トイレットペーパー３０と一緒に、両支持アーム片１１ｂ、１１ｂ間に入れ込み、芯材の他方を、他方の支持アーム片１１ｂの凹穴に嵌め込めばよい。芯材は、内臓のスプリングなどの弾性体により、支持アーム片１１ｂ、１１ｂの両凹穴間で伸びて、係止される。これによって、トイレットペーパー３０は、トイレットペーパーホルダ１０に装着される。
【００１１】
支持手段１２として、別の例として、左右の支持アーム片１１ｂ、１１ｂに設けた、開閉自在とする突起片からなる支持部としてもよい。
この場合、トイレットペーパー３０のない状態では、両突起片は、内側に突出して閉じた状態にあるが、この状態で、トイレットペーパー３０を装着するときには、トイレットペーパー３０の紙巻き層部分を閉じた状態の両突起片に押し付けて、入れ込む。
そうすると、両突起片は開き、トイレットペーパー３０の中心穴３１部分に両突起片の先端が来ると、内臓のスプリングなどの弾性体により、両突起片が復帰して閉じるため、両突起片が支持軸となって、トイレットペーパー３０は、トイレットペーパーホルダ１０に装着される。
【００１２】
このようにして、装着されたトイレットペーパー３０の上面側には、上記ホルダ枠体１１の連設部１１ａの上方寄りに回動自在（首振り自在）に設けた平板状のペーパーカバー１３が被せられる。ペーパーカバー１３の先端寄りには、下向きの湾曲部１３ａが設けてある。ミシン目のような切断線のないトイレットペーパー３０にあっては、この湾曲部１３ａの先端部が、カッタ部（切断刃）となる。
【００１３】
本考案では、このペーパーカバー１３の外側（上面側）には、その長手方向（トイレットペーパー３０の幅方向）に突起片１４を設けてある。
突起片１４は、図２に示すように、ペーパーカバー１３を開いたとき、トイレの壁２０に、その先端部が突き当たる（当接する）ようにしてある。
かつ、突起片１４の高さは、ペーパーカバー１３を開き、突起片１４の先端部が、トイレの壁２０に当接したとき（この状態で）、ペーパーカバー１３を持っている手を放せば、自然に下方に落下する関係となる高さ、即ち、自由落下する高さとしてある。
ペーパーカバー１３を大きく開いたとき、ペーパーカバー１３自体が、自然に下方に落下するか、或いは、トイレの壁２０側に倒れるかの分岐点（境界線）となる部分が存在するわけであるが、本考案の場合、突起片１４の高さを、分岐点より下方側（トイレットペーパー３０側）に倒れる、自由落下の高さとしてあるため、使用時が、手を放せば、自然に下方に落下することになる。
【００１４】
ここで、本考案の如き、突起片１４がない場合には、ペーパーカバー１３を目一杯に大きく開けば、ペーパーカバー１３自体が、トイレの壁２０側に接触して、開いたままの状態が、手を放しても、維持される。
この開いたままだと、心ない使用者にとっては、理想の状態であり、トイレットペーパー３０の繰り出しが極めて容易となる。そして、ときには、どんどん引き出して、驚くほどの過剰なペーパーの繰り出しが、行われるのである。
【００１５】
これに対して、本考案の突起片１４があると、使用者が手を放せば、直ぐにペーパーカバー１３が下方に自然落下するため、過剰なペーパーの繰り出しがやり難いのである。
つまり、開いたペーパーカバー１３を、片手で押さえたまま、他方の片手で、トイレットペーパー３０を、過剰に繰り出し続けることは、面倒である。このことから、過剰なペーパーの繰り出しが抑制されるのである。繰り出しの抑制効果がある。
【００１６】
本考案の突起片１４は、図１〜図２では、ペーパーカバー１３の長手方法に延びる長いものであるが、この長さ、形状などは、特に限定されない。単なる棒状の突起片１４であってもよい。この場合、トイレの壁２０側に損傷を招かないように、棒状の先端部を平坦にしたり、弾性体を設けたりするとよい。
【００１７】
また、図３（ａ）〜（ｂ）に示したように、突起片１４のみを、後付け用の部品して提供してもよい。
図３（ａ）は、突起片１４の底面側に台板部１４ａ（省略可能）を設け、この台板部１４ａの底面に（突起片１４の底面側に）接着層を介して、離型紙１４ｂを貼り付けたものである。従って、これを、離型紙１４ｂを剥いで、既成のペーパーカバー１３に貼り付ければ、本考案の技術思想にかなったトイレットペーパーホルダが得られる。
図３（ｂ）は、突起片１４を、例えば、スポンジ製の柱片（スポンジ部分は先端部のみも可能）で形成し、その底面に接着層を介して、離型紙１４ｂを貼り付けたものである。従って、これも、離型紙１４ｂを剥いで、既成のペーパーカバー１３に貼り付ければ、上記同様のトイレットペーパーホルダが得られる。
勿論、このとき、突起片１４の高さが、上述したように、使用時が、手を放したとき、自然に下方に落下する関係が成立する部分に、貼り付けるものとする。
【００１８】
また、トイレットペーパー３０を装着する作業員などにおいて、ペーパーカバー１３が直ぐ下方に落下するのでは、作業がやり難いというのであれば、例えば、図４に示すように、トイレットペーパー３０の装着時、ペーパーカバー１３の落下を押さえる、支え棒４０などを使用すればよい。
【符号の説明】
【００１９】
１０・・・トイレットペーパーホルダ、１１・・・ホルダ枠体、１１ａ・・・水平の連設部、１１ｂ・・・左右の支持アーム片、１２・・・支持手段、１３・・・ペーパーカバー、１４・・・突起片、２０・・・トイレ内の壁２０、３０・・・トイレットペーパー、４０・・・支え棒
【図１】
0003189828.tif 000003
【図２】
0003189828.tif 000004
【図３】
0003189828.tif 000005
【図４】
0003189828.tif 000006
【手続補正書】
【提出日】平成26年1月28日(2014.1.28)
【手続補正１】
【補正対象書類名】明細書
【補正対象項目名】００１２
【補正方法】変更
【補正の内容】
【００１２】
このようにして、装着されたトイレットペーパー３０の上面側には、上記ホルダ枠体１１の連設部１１ａの上方寄りに回動自在（首振り自在）に設けた平板状のペーパーカバー１３が被せられる。ペーパーカバー１３の先端寄りには、下向きの湾曲部が設けてある。ミシン目のような切断線のないトイレットペーパー３０にあっては、この湾曲部１３ａの先端部が、カッタ部（切断刃）となる。